(57)【要約】【課題】いたずら行為等による点字銘板の破損又は引き剥がしを有効に防止することができ、また、視覚障害者が点字銘板に対応するボタンを正しく認識することが容易にできるようにする。【解決手段】点字銘板１７の面積は取付面１６ａの面積とほぼ同じであるため、点字銘板１７の三方の側面は対向する突起枠１６ｂの側面と隙間なく接した状態となり、また、残りの一方の側面も行先階ボタン３と隙間なく接して突き合わされた状態になっている。したがって、いたずらをしようとする者が、ドライバやポールペンなどの道具の鋭利な先端部を点字銘板１７と突起枠１６ｂ又は行先階ボタン３との間に差し込もうと思っても、差し込むことができなくなっている。【選択図】  図２
2005047654.tif 000002
【特許請求の範囲】
【請求項１】
エレベータかご内の操作ボタン又はエレベータ乗り場の呼びボタンに隣接する位置に点字銘板が取り付けられているエレベータシステムにおいて、
前記点字銘板を銘板台の取付面に取り付けると共に、この銘板台を前記操作ボタン又は前記呼びボタンに対して突き合わせるように配設し、しかも、この銘板台の前記取付面の周囲部分であって前記操作ボタン又は前記呼びボタンに対する突き合わせ部を除く部分に、突起枠を形成した、
ことを特徴とするエレベータシステム。
【請求項２】
前記点字銘板には、点字の他に、前記操作ボタン又は前記呼びボタンの表面に表示されている数字又は記号が突起部として形成されている、
ことを特徴とする請求項１記載のエレベータシステム。
【請求項３】
前記点字銘板の裏面側に取り付けられ、前記利用者の点字銘板接触時に接触信号を発生するための接点部材と、
前記接点部材からの前記接触信号に基づき、前記点字銘板の点字内容を音声出力する音声出力部と、
を備えた、
ことを特徴とする請求項１又は２記載のエレベータシステム。
【請求項４】
請求項１記載の銘板台の取付面に、前記エレベータかご内の操作ボタン又はエレベータ乗り場の呼びボタンから離間する位置に配置されるべき点字銘板を取り付けると共に、この銘板台を前記離間する位置に配設し、更にこの銘板台の前記取付面の周囲部分であって前記突起枠が形成されていない部分に部分突起枠部材を取り付けることにより、前記取付面の全ての周囲部分に前記突起枠が形成されたのと同様の形状とした、
ことを特徴とする請求項１乃至３のいずれかに記載のエレベータシステム。
【発明の詳細な説明】
【０００１】
【発明の属する技術分野】
本発明は、エレベータかご内の操作ボタン又はエレベータ乗り場の呼びボタンに隣接する位置に点字銘板が取り付けられているエレベータシステムに関するものである。
【０００２】
【従来の技術】
近時は種々の施設又は設備に対してバリアフリーの導入が要請されており、エレベータシステムにおいても視覚障害者がより容易にエレベータを利用できるようにするため、エレベータかご内の操作ボタン又はエレベータ乗り場の呼びボタンに隣接する位置に点字銘板を取り付ける例が多くなっている（例えば、特許文献１参照）。ここで、上記の「エレベータかご内の操作ボタン」とは「行先階ボタン」、「戸開ボタン」、「戸閉ボタン」、あるいは「非常呼びボタン」等の各種ボタンを指している。
【０００３】
図８は、従来のエレベータシステムのエレベータかご内に設置された操作盤１の構成図である。この図に示すように、操作盤１はプレート２を有しており、このプレート２に１階から１０階までの１０個の行先階ボタン３が取り付けられている。また、これらの行先階ボタン３の下方には戸開ボタン４及び戸閉ボタン５が取り付けられ、上方には非常呼びボタン６が取り付けられている。そして、これらボタン３〜６のそれぞれ左側の隣接位置には、各ボタンがどのようなボタンであるのかを視覚障害者が理解できるようにするための点字銘板７が取り付けられている。
【０００４】
なお、非常呼びボタン６の上方には、エレベータかご内に居る利用者が管理人室などのエレベータかご外に居る人を呼び出して会話をするための送受話器８が設置されている。送受話器８の上方には、エレベータの用途、定員、積載量などの仕様が記載されている仕様銘板９が取り付けられている。仕様銘板９の上方には、かごが現在位置している階床、及びかごの移動方向などをかご内に居る利用者に知らせるためのかご位置表示部１０が設置されている。
【０００５】
図９は、従来のエレベータシステムのエレベータ乗り場における呼びボタン及び点字銘板の配置例を示す説明図であり、（ａ）は最下階の配置例、（ｂ）は中間階の配置例、（ｃ）は最上階の配置例を示している。図９（ａ）の配置例では、プレート１１の略中央に上方向呼びボタン１２が取り付けられている。この上方向呼びボタン１２は、周辺部に形成された突起枠１２ａと、突起枠１２ａの内側に形成され上方向矢印が描かれた操作面１２ｂとを有している。操作面１２ｂの周りは突起枠１２ａで囲まれているので、利用者の指やその他の身体の一部が誤って操作面１２ｂに接触することによる誤操作が生じにくいものになっている。そして、上方向呼びボタン１２の上方の隣接位置には点字銘板１３が取り付けられており、また、上方向呼びボタン１２の下方のやや離間した位置にはフロア点字銘板１４が取り付けられている。点字銘板１３は、隣接する位置に設けられているボタンが上方向呼びボタンであることを視覚障害者が理解できるようにするためのものであり、フロア点字銘板１４は、この乗り場が何階の乗り場であるかを視覚障害者が理解できるようにするためのものである。
【０００６】
図９（ｂ）の配置例では、プレート１１の中央部よりやや上方の位置に上方向呼びボタン１２が取り付けられ、プレート１１の中央部よりやや下方の位置に下方向呼びボタン１５が取り付けられている。下方向呼びボタン１５は、上方向呼びボタン１２と同様の構成であり、周辺部に形成された突起枠１５ａと、突起枠１５ａの内側に形成され下方向矢印が描かれた操作面１５ｂとを有している。そして、上方向呼びボタン１２及び下方向呼びボタン１５のそれぞれの上方の隣接位置には点字銘板１３が取り付けられており、また、下方向呼びボタン１５の下方のやや離間した位置にはフロア点字銘板１４が取り付けられている。
【０００７】
図９（ｃ）の配置例では、プレート１１の略中央に下方向呼びボタン１５が取り付けられている。そして、下方向呼びボタン１５の上方の隣接位置には点字銘板１３が取り付けられており、また、下方向呼びボタン１５の下方のやや離間した位置にはフロア点字銘板１４が取り付けられている。
【０００８】
なお、図８において示したボタン３〜６、及び図９において示したボタン１２，１５は、それぞれの操作面に描かれた数字、記号、図形等の他は同様の構成を有するものである。
【０００９】
【特許文献１】
特開２００１−１３０８４４号公報
【００１０】
【発明が解決しようとする課題】
エレベータを利用する視覚障害者は、上記した点字銘板７，１３により自分が操作すべきボタンを容易に知ることができ、また、フロア点字銘板１４により自分が位置している乗り場の階床を容易に知ることができる。しかし、従来のエレベータシステムにおける点字銘板は次のような課題を有するものであった。
【００１１】
第一に、従来の点字銘板取付構造はいたずら等により点字銘板が破損されたり剥がされたりしやすいものであった。つまり、点字銘板７，１３及びフロア点字銘板１４のプレート２及びプレート１１に対する取り付けは接着材によって行われている。一方、エレベータは公共性を有する設備であるため、不特定多数の人間が利用し、その利用時間帯も長時間に及ぶのが通常である。そして、利用者の中には悪質な者がおり、ドライバやボールペンなどの道具の鋭利な先端部を、接着された点字銘板とプレートとの間の僅かな間隙に差し込み、点字銘板を破損したり、あるいはその一部又は全部をプレートから無理矢理引き剥がす行為を行うことがある。点字銘板の取り付けに用いられる接着材は勿論ある程度以上の接着力を有するものであるが、このようないたずら行為にも耐えうる程の接着力を有するものではない。従来のエレベータシステムの点字銘板取付構造では、このような心ないいたずら行為により、視覚障害者が点字銘板を利用することができなくなることがしばしば有り、また、点字銘板が破損されたり剥がされていることに気付かない視覚障害者が点字銘板の位置に指を伸ばした際に、残存している点字銘板の切れ端等により思わぬ怪我をする虞もあった。
【００１２】
第二に、従来の点字銘板取付構造は、点字銘板に対応するボタンを正しく操作するのが必ずしも容易ではないことである。例えば、図８において、１０階に行こうとする視覚障害者は、「１０」と表示された行先階ボタン３の左側隣接位置に取り付けられた点字銘板を指で触れることにより、この点字銘板に対応する１０階の行先階ボタン３を操作することができる。しかし、スペース上の制約条件により操作盤１の幅を狭くせざるを得ず、１０階の行先階ボタン３と９階の行先階ボタン３との間の距離を充分長く取れない場合がある。このような場合、視覚障害者は上記の点字銘板に指で触れたときに、これに対応するボタンを右側の１０階の行先階ボタン３ではなく、左側の行先階ボタン３であると誤って認識し、誤操作を行ってしまうことがある。勿論、視覚障害者がゆっくりと落ち着いて操作することができるのであれば、指で触れた点字銘板に対応するボタンを正しく認識するのは容易であるが、エレベータのボタン操作はタイミング良く素早く行う必要があるために、視覚障害者にとっては決して容易とは言えないのである。
【００１３】
本発明は上記事情に鑑みてなされたものであり、いたずら行為等による点字銘板の破損又は引き剥がしを有効に防止することができ、また、視覚障害者が点字銘板に対応するボタンを正しく認識することが容易な点字銘板取付構造を備えたエレベータシステムを提供することを目的としている。
【００１４】
【課題を解決するための手段】
上記課題を解決するための手段として、請求項１記載の発明は、エレベータかご内の操作ボタン又はエレベータ乗り場の呼びボタンに隣接する位置に点字銘板が取り付けられているエレベータシステムにおいて、前記点字銘板を銘板台の取付面に取り付けると共に、この銘板台を前記操作ボタン又は前記呼びボタンに対して突き合わせるように配設し、しかも、この銘板台の前記取付面の周囲部分であって前記操作ボタン又は前記呼びボタンに対する突き合わせ部を除く部分に、突起枠を形成した、ことを特徴とする。
【００１５】
請求項２記載の発明は、請求項１記載の発明において、前記点字銘板には、点字の他に、前記操作ボタン又は前記呼びボタンの表面に表示されている数字又は記号が突起部として形成されている、ことを特徴とする。
【００１６】
請求項３記載の発明は、請求項１又は２記載の発明において、前記点字銘板の裏面側に取り付けられ、前記利用者の点字銘板接触時に接触信号を発生するための接点部材と、前記接点部材からの前記接触信号に基づき、前記点字銘板の点字内容を音声出力する音声出力部と、を備えた、ことを特徴とする。
【００１７】
請求項４記載の発明は、請求項１乃至３のいずれかに記載の発明において、請求項１記載の銘板台の取付面に、前記エレベータかご内の操作ボタン又はエレベータ乗り場の呼びボタンから離間する位置に配置されるべき点字銘板を取り付けると共に、この銘板台を前記離間する位置に配設し、更にこの銘板台の前記取付面の周囲部分であって前記突起枠が形成されていない部分に部分突起枠部材を取り付けることにより、前記取付面の全ての周囲部分に前記突起枠が形成されたのと同様の形状とした、ことを特徴とする。
【００１８】
【発明の実施の形態】
以下、本発明の実施形態を図に基づき説明する。但し、図８及び図９において既述した構成要素と同一のものには同一符号を付して重複した説明を省略する。
【００１９】
図１は、本実施形態に係るエレベータシステムのエレベータかご内に設置された操作盤１の構成図である。図８の従来構成と異なり、ボタン３〜６の左側隣接位置の各点字銘板１７は銘板台１６に取り付けられている。
【００２０】
図２は、図１における点字銘板取付構造を示した斜視図であり、例えば９階の行先階ボタン３と、これに対応する点字銘板１７と、この点字銘板１７が取り付けられる銘板台１６とを図示したものである。行先階ボタン３は従来と同様のものであり、周辺部に形成された突起枠３ａと、突起枠３ａの内側に形成され９階を示す「９」の数字が描かれた操作面３ｂとを有している。
【００２１】
銘板台１６は、点字銘板１７が取り付けられる取付面１６ａと、この取付面１６ａの周囲に形成されている突起枠１６ｂとを有している。但し、銘板台１６の行先階ボタン３に対する突き合わせ部にはこの突起枠１６ｂは形成されていない。そして、形成されている突起枠１６ｂの行先階ボタン３に対する対向面にはテーパ部１６ｃが形成されている。また、取付面１６ａの略中央部にはさら孔１６ｄが形成され、更に行先階ボタン３に対する突き合わせ部付近には２つのインサート孔１６ｅが形成されている。このインサート孔１６ｅは、銘板台１６にフロア点字銘板２０を取り付ける場合に必要となるものであり、これについては図５において後述する。
【００２２】
点字銘板１７は上記の銘板台１６の取付面１６ａに取り付けられるものであり、その上面には対応する隣接位置のボタンが９階の行先階ボタン３であることが記された点字１７ａと、９階を意味する「９」の数字が上面から突出した状態になっている突起数字１７ｂとが形成されている。このような突起数字１７ｂを形成したのは、点字を指で触って読むことができない視覚障害者を考慮したものである。つまり、視覚障害者は、先天的に視力を失った者と、後天的に視力を失った者とに大別され、後者のうちある程度の年齢になってから視力を失った者の多くは点字を判読することができないのが通常である。しかし、このように点字を判読することができない視覚障害者であっても、図示したような突起数字１７ｂであれば、指で触ったときに容易にその意味内容を理解することが可能になる。
【００２３】
図３は、図２における点字銘板１７が取付面１６ａに取り付けられた状態を示す縦断面図である。銘板台１６は、さら孔１６ｄを挿通したさら小ネジ１８によりプレート２に対してネジ止めされている。そして、点字銘板１７の裏面は、接着材により取付面１６ａに固着されている。また、銘板台１６の突き合わせ部付近に形成されている２つのインサート孔１６ｅは点字銘板１７によって覆われている。
【００２４】
このとき、点字銘板１７の面積は取付面１６ａの面積とほぼ同じであるため、点字銘板１７の三方の側面は対向する突起枠１６ｂの側面と隙間なく接した状態となり、また、残りの一方の側面も行先階ボタン３と隙間なく接して突き合わされた状態になっている。したがって、いたずらをしようとする者が、ドライバやポールペンなどの道具の鋭利な先端部を点字銘板１７と突起枠１６ｂ又は行先階ボタン３との間に差し込もうと思っても、差し込むことができなくなっている。
【００２５】
尤も、いたずらをしようとする者が相当の固い決意と労力とをもってすれば鋭利な先端部を差し込むことはそれでも可能であろうが、通常、いたずらをしようとする者がそこまでの固い決意を持ったり、労力を払うことは稀である。それ故、図３のような点字銘板取付構造によれば、いたずらをしようとする者により点字銘板１７が破損されたり剥がされたりするのを有効に防止することができる。
【００２６】
また、上記した点字銘板取付構造によれば、視覚障害者は点字銘板１７に対応する行先階ボタン３を正しく認識することが容易になるため、誤操作を有効に防止することも期待できる。すなわち、視覚障害者が、点字１７ａ又は突起数字１７ｂに触れた指をいずれかの方向にスライドさせたとする。このときのスライドにより指が突起枠１６ｂにぶつかれば、突起枠１６ｂをオーバーした個所には何も存在しないので、視覚障害者の指は自然と行先階ボタン３側に誘導されることになる。そして、誘導された指が行先階ボタン３の側壁面に触れたときに、視覚障害者は行先階ボタン３の存在を認識することができる。このとき視覚障害者の指が、テーパ部１６ｃと突起枠３ａの外面との間に形成される溝状の空間部に位置した場合には、このときの感触により指に触れている部材が突起枠１６ｂではなく行先階ボタン３を形成している突起枠３ａであることを視覚障害者は容易に認識することができる。したがって、視覚障害者は、指に触れた点字銘板１７に対応する行先階ボタン３の操作面３ｂを正しく操作することが容易にできる。
【００２７】
図４は、本実施形態に係るエレベータシステムのエレベータ乗り場における呼びボタン及び点字銘板の配置例を示す説明図であり、（ａ）は最下階の配置例、（ｂ）は中間階の配置例、（ｃ）は最上階の配置例を示している。図９に示した従来構成と対比してみれば明らかなように、いずれの配置例においても上方向呼びボタン１２及び下方向呼びボタン１５の配置位置は図９の場合と同じである。また、この図４において用いられている銘板台１６は、図１乃至図３で説明したものと同一のものである。
【００２８】
図４（ａ）の配置例では、上方向呼びボタン１２上方の隣接位置に、銘板台１６が突き合わされるように配設され、その取付面に点字銘板１９が取り付けられている。この点字銘板１９の上面には、対応する隣接位置のボタンが上方向呼びボタン１２であることが記された点字１９ａと、「上方向」を示す上向きの三角形記号が上面から突出した状態になっている突起記号１９ｂとが形成されている。したがって、既述したように、点字を判読できる視覚障害者及び点字を判読できない視覚障害者の双方が、自分の指の位置付近にどのようなボタンが配置されているのかを容易に認識することができる。そして、この点字１９ａ又は突起記号１９ｂにふれた視覚障害者の指が上方向呼びボタン１２側に誘導されやすくなっていることは、図２及び図３で説明したのと同様である。
【００２９】
また、上方向呼びボタン１２の下方のやや離間した位置には、フロア点字銘板２０が取り付けられた銘板台１６が配設されている。そして、銘板台１６の突起枠（１６ｂ）が形成されていない部分には部分突起枠部材２１が取り付けられており、恰も銘板台１６の全ての周辺部に突起枠（１６ｂ）が形成されているかのような形状となっている。フロア点字銘板２０の上面には、この乗り場が最下階すなわち１階の乗り場であることが記された点字２０ａと、「１カイ」という文字が上面から突出した状態になっている突起文字２０ｂとが形成されている。視覚障害者の指がこのようなフロア点字銘板２０に触れた場合、視覚障害者は自分の指をいずれの方向にスライドさせても突起枠（１６ｂ）又は部分突起枠部材２１にぶつかり、更にこれらをオーバーした位置まで指を移動させてもそこには何も存在しないので、このフロア点字銘板２０には対応するボタンが存在しないことを直ちに認識することができる。
【００３０】
図４（ｂ）の配置例では、上方向呼びボタン１２及び下方向呼びボタン１５のそれぞれの上方の隣接位置に、上記のように点字銘板１９が取り付けられた銘板台１６が突き合わされるように配設されている（但し、下方向呼びボタン１５に隣接する点字銘板１９の突起記号（１９ｂ）は「下方向」を示す下向きの三角形記号である。）。
【００３１】
また、下方向呼びボタン１５の下方のやや離間した位置には、図４（ａ）の場合と同様に、フロア点字銘板２０が取り付けられた銘板台１６が配設されている（但し、このフロア点字銘板２０の上面に形成される突起文字２０ｂの文字は例えば「５カイ」となっている。）。
【００３２】
図４（ｃ）の配置例では、下方向呼びボタン１５の上方の隣接位置に、上記のように点字銘板１９が取り付けられた銘板台１６が突き合わされるように配設されており、また、下方向呼びボタン１５の下方のやや離間した位置には、図４（ａ），図４（ｂ）の場合と同様に、フロア点字銘板２０が取り付けられた銘板台１６が配設されている（但し、このフロア点字銘板２０の上面に形成される突起文字２０ｂの文字は最上階である１０階を示す「１０カイ」となっている。）。
【００３３】
図５は、図４（ａ）におけるフロア点字銘板２０の取付構造を示した斜視図である。この図に示すように、部分突起枠部材２１は、銘板台１６における突起枠１６ｂが形成されていない部分に取り付けられる部材である。図４（ａ）では図示を省略しているが、部分突起枠部材２１には、銘板台１６に形成された２つのインサート孔１６ｅに対応する位置に取付穴２１ｂが形成されており、この２つの取付穴２１ｂに係合部材２２が取り付けられている。そして、これらの係合部材２２の先端部がインサート孔１６ｅに差し込まれた状態で係合することにより、部分突起枠部材２１の銘板台１６に対する取り付けが行われるようになっている。部分突起枠部材２１には銘板台１６のテーパ部１６ｃと当接するテーパ部２１ａが形成されており、部分突起枠部材２１の銘板台１６に対する取り付けが行われると、銘板台１６の突起枠１６ｂが形成されていない部分にも、恰も突起枠１６ｂが形成されているのと同様の形状となる。
【００３４】
図６は、図５におけるＶＩ−ＶＩ線に沿う矢視図であり、係合部材２２の部分突起枠部材２１に対する取付状態を示した説明図である。取付穴２１ｂの底部にはテーパ部２１ａの表面に至る貫通孔２１ｃが形成されている。一方、係合部材２２は、鍔部２２ａと、この鍔部２２ａから延び、先端部が内側に湾曲した二股状の脚部２２ｂとを有している。この係合部材２２は、屈曲性及び弾力性を有する樹脂製の部材であり、取付穴２１ｂに取り付ける際には二股状の脚部２２ｂを指で挟みつけて幅を狭くすることにより、この脚部２２ｂを貫通孔２１ｃからテーパ部２１ａの外側へくぐり抜けさせることができる。
【００３５】
そして、このようにして部分突起枠部材２１に組み付けられた２つの係合部材２２を、銘板台１６の２つのインサート孔１６ｅに向けて押し込むと、二股状の脚部２２ｂの先端部は内側に湾曲しているためスムースに挿入される。このとき、挿入された二股状の脚部２２ｂは外側へ向かう弾撥付勢力によりインサート孔１６ｅの内壁面に押圧されるため、脚部２２ｂはインサート孔１６ｅ内で確実に固定される。したがって、部分突起枠部材２１の銘板台１６に対する取り付けが容易且つ確実に行われることになる。
【００３６】
上述したように、この実施形態では、図１におけるボタン３〜６に隣接して配置される点字銘板１７、図４におけるボタン１２，１５に隣接して配置される点字銘板１９、更にはフロア点字銘板２０を、全て同一形状の銘板台１６に取り付けることができる。したがって、点字銘板の種類に応じて異なった種類の銘板台を製造する必要はなく、ただ１種類の銘板台だけを製造すればよいので、コストダウンを図ることができる。
【００３７】
図７は、本発明の他の実施形態の要部を示す縦断面図である。先に説明した実施形態では、図３に示したように、点字銘板１７の裏面の略中央部にさら孔１６ｄが形成され、このさら孔１６ｄを挿通するさら小ネジ１８により、銘板台１６のプレート２に対する取り付けが行われている。これに対し、この実施形態では、接点部材２３により銘板台１６のプレート２に対する取り付けが行われており、接点部材２３は取付部材及び信号伝達部材の双方として機能している。
【００３８】
すなわち、本実施形態では、点字銘板１７の裏面の略中央部に、アルミ製又はステンレス製のスタッドボルトのような接点部材２３の基端部を溶着すると共に、銘板台１６及びプレート２にそれぞれ孔１６ｆ及び孔２ａを穿設し、これらの孔１６ｆ，２ａを挿通した接点部材２３の頭部をナット２４で締結することにより、銘板台１６のプレート２に対する取り付けを行っている。なお、本実施形態では点字銘板１７は接点部材２３と同一の良電導性金属で形成されており、銘板台１６は絶縁体により形成されている。
【００３９】
そして、点字銘板１７の表面に視覚障害者の指が触れると静電気が発生し、点字銘板１７側と接点部材２３側との間で電荷が移動する。接点部材２３は、この電荷の移動で発生する電流に基づく接触信号をエレベータ制御回路２５に出力する。エレベータ制御回路２５は、各点字銘板の内容に応じた音声波形データを記憶しており、この接触信号を入力すると対応する音声波形データを取り出して、音声出力部として機能するかご内の送受話器８を介して音声出力を行う。
【００４０】
例えば、視覚障害者の指が、９階の行先階ボタン３に隣接する点字銘板１７の表面に触れると、「９階の行先階ボタンです。」というようなメッセージが音声出力される。これにより、９階に行こうとしている視覚障害者は安心して隣接するボタンを操作することができ、一方、９階ではなく他の階に行こうとしていた視覚障害者はいち早く間違いに気づき、他の点字銘板を探すことができる。このような、音声出力は、点字の判読ができない視覚障害者あるいは点字の判読に習熟していない視覚障害者にとっては有効な援助手段となる。
【００４１】
なお、上記の実施形態では、視覚障害者の指が点字銘板１７の表面に触れたときに発生する静電気を利用して、エレベータ制御回路２５に接触信号を出力する構成を採用しているが、これに限定されるわけではなく、例えば光信号や磁気的信号などを接触信号としてエレベータ制御回路２５に出力する構成を採用することも可能である。
【００４２】
【発明の効果】
以上のように、本発明によれば、点字銘板を銘板台の取付面に取り付けると共に、この銘板台を操作ボタン又は呼びボタンに対して突き合わせるように配設し、しかも、この銘板台の取付面の周囲部分であって操作ボタン又は呼びボタンに対する突き合わせ部を除く部分に、突起枠を形成した構成としたので、いたずら行為等による点字銘板の破損又は引き剥がしを有効に防止することができ、また、視覚障害者が点字銘板に対応するボタンを正しく認識することが容易な点字銘板取付構造を実現することができる。
【図面の簡単な説明】
【図１】本発明の実施形態に係るエレベータシステムのエレベータかご内に設置された操作盤１の構成図。
【図２】図１における点字銘板取付構造を示した斜視図であり、例えば９階の行先階ボタン３と、これに対応する点字銘板１７と、この点字銘板１７が取り付けられる銘板台１６とを図示したもの。
【図３】図２における点字銘板１７が取付面１６ａに取り付けられた状態を示す縦断面図。
【図４】本発明の実施形態に係るエレベータシステムのエレベータ乗り場における呼びボタン及び点字銘板の配置例を示す説明図であり、（ａ）は最下階の配置例、（ｂ）は中間階の配置例、（ｃ）は最上階の配置例を示している。
【図５】図４（ａ）におけるフロア点字銘板２０の取付構造を示した斜視図。
【図６】図５におけるＶＩ−ＶＩ線に沿う矢視図であり、係合部材２２の部分突起枠部材２１に対する取付状態を示した説明図。
【図７】本発明の他の実施形態の要部を示す縦断面図。
【図８】従来のエレベータシステムのエレベータかご内に設置された操作盤１の構成図。
【図９】従来のエレベータシステムのエレベータ乗り場における呼びボタン及び点字銘板の配置例を示す説明図であり、（ａ）は最下階の配置例、（ｂ）は中間階の配置例、（ｃ）は最上階の配置例を示している。
【符号の説明】
１  操作盤
２  プレート
２ａ  孔
３  行先階ボタン
４  戸開ボタン
５  戸閉ボタン
６  非常呼びボタン
７  点字銘板
８  送受話器
９  仕様銘板
１０  かご位置表示部
１１  プレート
１２  上方向呼びボタン
１２ａ  突起枠
１２ｂ  操作面
１３  点字銘板
１４  フロア点字銘板
１５  下方向呼びボタン
１５ａ  突起枠
１５ｂ  操作面
１６  銘板台
１６ａ  取付面
１６ｂ  突起枠
１６ｃ  テーパ部
１６ｄ  さら孔
１６ｅ  インサート孔
１６ｆ  孔
１７  点字銘板
１８  さら小ネジ
１９  点字銘板
１９ａ  点字
１９ｂ  突起記号
２０  フロア点字銘板
２０ａ  点字
２０ｂ  突起文字
２１  部分突起枠部材
２１ａ  テーパ部
２１ｂ  取付穴
２１ｃ  貫通孔
２２  係合部材
２２ａ  鍔部
２２ｂ  脚部
２３  接点部材
２４  ナット
２５  エレベータ制御回路
【図１】
2005047654.tif 000003
【図２】
2005047654.tif 000004
【図３】
2005047654.tif 000005
【図４】
2005047654.tif 000006
【図５】
2005047654.tif 000007
【図６】
2005047654.tif 000008
【図７】
2005047654.tif 000009
【図８】
2005047654.tif 000010
【図９】
2005047654.tif 000011